(57)【要約】【課題】  本発明は、ユーザの嗜好に応じた情報を提供することができるサーバ装置及びその制御方法を提供することを目的とする。【解決手段】  端末装置５０の機種と、端末装置５０の機種が所属するグループとを対応付けて記憶する記憶部８０と、端末装置５０の機種に関する機種情報が端末装置５０から送信されると、機種情報に基づいて、記憶部８０に記憶されているグループの中から、端末装置５０の機種が所属するグループの検索を実行し、端末装置５０の機種が所属するグループを検索することができた場合には、端末装置５０の機種が所属するグループに対応する提供情報を表示するように端末装置５０に指示するのに対して、端末装置５０の機種が所属するグループを検索することができなかった場合には、予め選定された提供情報を表示するように端末装置５０に指示する制御部６０とを備える。【選択図】  図１
2010170456.tif 000002
【特許請求の範囲】
【請求項１】
端末装置に接続されたサーバ装置において、
前記端末装置の機種と、前記端末装置の機種が所属するグループとを対応付けて記憶する記憶部と、
前記端末装置の機種に関する機種情報が前記端末装置から送信されると、前記機種情報に基づいて、前記記憶部に記憶されているグループの中から、前記端末装置の機種が所属するグループの検索を実行し、前記端末装置の機種が所属するグループを検索することができた場合には、前記端末装置の機種が所属するグループに対応する提供情報を表示するように前記端末装置に指示するのに対して、前記端末装置の機種が所属するグループを検索することができなかった場合には、予め選定された前記提供情報を表示するように前記端末装置に指示する制御部と
を備えることを特徴とするサーバ装置。
【請求項２】
前記制御部は、
前記機種情報と共に前記端末装置固有の識別情報が、前記端末装置から送信されると、前記識別情報と、前記端末装置の機種が所属するグループに対応する表示対象の前記提供情報が示すウェブサイトのアドレス情報とを対応付けて記憶部に記憶しておき、前記ウェブサイトの表示要求が前記端末装置から与えられると、前記記憶部に記憶されている前記アドレス情報の中から、前記識別情報と対応付けて記憶されている前記アドレス情報を読み出し、前記アドレス情報が示すウェブサイトを表示するように前記端末装置に指示する
ことを特徴とする請求項１に記載のサーバ装置。
【請求項３】
前記記憶部は、
前記端末装置の機種と、前記端末装置の機種が所属するグループと、当該グループに対応する前記提供情報が表示される度合いの高さを表す優先度とを対応付けて記憶し、
前記制御部は、
前記端末装置の機種が所属する複数のグループを検索した場合には、前記端末装置の機種が所属する複数のグループの優先度の合計に対する、所望のグループの優先度の割合が、当該グループが選択される確率になるようにして、複数のグループの中からいずれかのグループを選択し、当該選択されたグループに対応する前記提供情報を表示するように前記端末装置に指示する
ことを特徴とする請求項１に記載のサーバ装置。
【請求項４】
端末装置に接続されたサーバ装置において、
前記端末装置の使用環境と、前記端末装置の使用環境に対応する提供情報とを対応付けて記憶する記憶部と、
前記端末装置の使用環境に関する使用環境情報が前記端末装置から送信されると、前記使用環境情報に基づいて、前記記憶部に記憶されている前記提供情報の中から、前記端末装置の使用環境と対応付けて記憶されている前記提供情報の検索を実行し、前記端末装置の使用環境に対応する前記提供情報を検索することができた場合には、前記端末装置の使用環境に対応する前記提供情報を表示するように前記端末装置に指示するのに対して、前記端末装置の使用環境に対応する前記提供情報を検索することができなかった場合には、予め選定された前記提供情報を表示するように前記端末装置に指示する制御部と
を備えることを特徴とするサーバ装置。
【請求項５】
端末装置に接続されたサーバ装置の制御方法において、
前記端末装置の機種と、前記端末装置の機種が所属するグループとを対応付けて記憶部に記憶する記憶ステップと、
前記端末装置の機種に関する機種情報が前記端末装置から送信されると、前記機種情報に基づいて、前記記憶部に記憶されているグループの中から、前記端末装置の機種が所属するグループの検索を実行する検索ステップと、
前記端末装置の機種が所属するグループを検索することができた場合には、前記端末装置の機種が所属するグループに対応する提供情報を表示するように前記端末装置に指示するのに対して、前記端末装置の機種が所属するグループを検索することができなかった場合には、予め選定された前記提供情報を表示するように前記端末装置に指示する表示制御ステップと
を備えることを特徴とするサーバ装置の制御方法。
【請求項６】
前記機種情報と共に前記端末装置固有の識別情報が、前記端末装置から送信されると、前記識別情報と、前記端末装置の機種が所属するグループに対応する表示対象の前記提供情報が示すウェブサイトのアドレス情報とを対応付けて記憶部に記憶するアドレス情報記憶ステップと、
前記ウェブサイトの表示要求が前記端末装置から与えられると、前記記憶部に記憶されている前記アドレス情報の中から、前記識別情報と対応付けて記憶されている前記アドレス情報を読み出し、前記アドレス情報が示すウェブサイトを表示するように前記端末装置に指示するウェブサイト表示ステップと
をさらに備えることを特徴とする請求項５に記載のサーバ装置の制御方法。
【請求項７】
前記記憶ステップは、
前記端末装置の機種と、前記端末装置の機種が所属するグループと、当該グループに対応する前記提供情報が表示される度合いの高さを表す優先度とを対応付けて記憶し、
前記表示制御ステップは、
前記端末装置の機種が所属する複数のグループを検索した場合には、前記端末装置の機種が所属する複数のグループの優先度の合計に対する、所望のグループの優先度の割合が、当該グループが選択される確率になるようにして、複数のグループの中からいずれかのグループを選択し、当該選択されたグループに対応する前記提供情報を表示するように前記端末装置に指示する
ことを特徴とする請求項５に記載のサーバ装置の制御方法。
【請求項８】
端末装置に接続されたサーバ装置の制御方法において、
前記端末装置の使用環境と、前記端末装置の使用環境に対応する提供情報とを対応付けて記憶部に記憶する記憶ステップと、
前記端末装置の使用環境に関する使用環境情報が前記端末装置から送信されると、前記使用環境情報に基づいて、前記記憶部に記憶されている前記提供情報の中から、前記端末装置の使用環境と対応付けて記憶されている前記提供情報の検索を実行する検索ステップと、
前記端末装置の使用環境に対応する前記提供情報を検索することができた場合には、前記端末装置の使用環境に対応する前記提供情報を表示するように前記端末装置に指示するのに対して、前記端末装置の使用環境に対応する前記提供情報を検索することができなかった場合には、予め選定された前記提供情報を表示するように前記端末装置に指示する表示制御ステップと
を備えることを特徴とするサーバ装置の制御方法。
【発明の詳細な説明】
【技術分野】
【０００１】
本発明は、サーバ装置及びその制御方法に関する。
【背景技術】
【０００２】
近年、端末装置とサーバ装置とを接続し、端末装置の機種に応じて、複数のコンテンツの中から所望のコンテンツを選択して、サーバ装置から端末装置に配信するコンテンツ配信システムが提案されている（例えば、特許文献１参照）。
【先行技術文献】
【特許文献】
【０００３】
【特許文献１】特開２００８−２４２８８８号公報
【発明の概要】
【発明が解決しようとする課題】
【０００４】
本発明は、ユーザの嗜好に応じた情報を提供することができるサーバ装置及びその制御方法を提供することを目的とする。
【課題を解決するための手段】
【０００５】
本発明の一態様によるサーバ装置は、
端末装置に接続されたサーバ装置において、
前記端末装置の機種と、前記端末装置の機種が所属するグループとを対応付けて記憶する記憶部と、
前記端末装置の機種に関する機種情報が前記端末装置から送信されると、前記機種情報に基づいて、前記記憶部に記憶されているグループの中から、前記端末装置の機種が所属するグループの検索を実行し、前記端末装置の機種が所属するグループを検索することができた場合には、前記端末装置の機種が所属するグループに対応する提供情報を表示するように前記端末装置に指示するのに対して、前記端末装置の機種が所属するグループを検索することができなかった場合には、予め選定された前記提供情報を表示するように前記端末装置に指示する制御部と
を備える。
【０００６】
また、本発明の一態様によるサーバ装置は、
端末装置に接続されたサーバ装置において、
前記端末装置の使用環境と、前記端末装置の使用環境に対応する提供情報とを対応付けて記憶する記憶部と、
前記端末装置の使用環境に関する使用環境情報が前記端末装置から送信されると、前記使用環境情報に基づいて、前記記憶部に記憶されている前記提供情報の中から、前記端末装置の使用環境と対応付けて記憶されている前記提供情報の検索を実行し、前記端末装置の使用環境に対応する前記提供情報を検索することができた場合には、前記端末装置の使用環境に対応する前記提供情報を表示するように前記端末装置に指示するのに対して、前記端末装置の使用環境に対応する前記提供情報を検索することができなかった場合には、予め選定された前記提供情報を表示するように前記端末装置に指示する制御部と
を備える。
【０００７】
また、本発明の一態様によるサーバ装置の制御方法は、
端末装置に接続されたサーバ装置の制御方法において、
前記端末装置の機種と、前記端末装置の機種が所属するグループとを対応付けて記憶部に記憶する記憶ステップと、
前記端末装置の機種に関する機種情報が前記端末装置から送信されると、前記機種情報に基づいて、前記記憶部に記憶されているグループの中から、前記端末装置の機種が所属するグループの検索を実行する検索ステップと、
前記端末装置の機種が所属するグループを検索することができた場合には、前記端末装置の機種が所属するグループに対応する提供情報を表示するように前記端末装置に指示するのに対して、前記端末装置の機種が所属するグループを検索することができなかった場合には、予め選定された前記提供情報を表示するように前記端末装置に指示する表示制御ステップと
を備える。
【０００８】
また、本発明の一態様によるサーバ装置の制御方法は、
端末装置に接続されたサーバ装置の制御方法において、
前記端末装置の使用環境と、前記端末装置の使用環境に対応する提供情報とを対応付けて記憶部に記憶する記憶ステップと、
前記端末装置の使用環境に関する使用環境情報が前記端末装置から送信されると、前記使用環境情報に基づいて、前記記憶部に記憶されている前記提供情報の中から、前記端末装置の使用環境と対応付けて記憶されている前記提供情報の検索を実行する検索ステップと、
前記端末装置の使用環境に対応する前記提供情報を検索することができた場合には、前記端末装置の使用環境に対応する前記提供情報を表示するように前記端末装置に指示するのに対して、前記端末装置の使用環境に対応する前記提供情報を検索することができなかった場合には、予め選定された前記提供情報を表示するように前記端末装置に指示する表示制御ステップと
を備える。
【発明の効果】
【０００９】
本発明のサーバ装置及びその制御方法によれば、ユーザの嗜好に応じた情報を提供することができる。
【図面の簡単な説明】
【００１０】
【図１】本発明の実施の形態による情報提供システムの構成を示すブロック図である。
【図２】同情報提供システムにおける広告配信管理用サーバ装置の構成を示すブロック図である。
【図３】本発明の実施の形態による広告画像表示処理手順を示すフローチャートである。
【図４】本発明の実施の形態による広告画像選択処理手順を示すフローチャートである。
【図５】他の実施の形態による広告画像表示処理手順を示すフローチャートである。
【発明を実施するための形態】
【００１１】
以下、本発明の実施の形態について図面を参照して説明する。
【００１２】
図１に、本発明の実施の形態による情報提供システム１０の構成を示す。この情報提供システム１０は、ウェブサイトを管理するサイト管理用サーバ装置３０Ａ〜３０Ｎに、例えばインターネット回線などの通信回線４０を介して、携帯電話機からなる端末装置５０を接続することにより形成される。
【００１３】
各サイト管理用サーバ装置３０Ａ〜３０Ｎには、サーバ装置に対応する広告配信管理用サーバ装置２０が接続され、当該広告配信管理用サーバ装置２０は、サイト管理用サーバ装置３０Ａ〜３０Ｎのうち所望のサイト管理用サーバ装置３０にアクセスした端末装置５０に配信するための広告情報を管理する。図２に、広告配信管理用サーバ装置２０の構成を示す。
【００１４】
本実施の形態の場合、まず、広告の配信を管理するオペレータが、広告配信管理用サーバ装置２０の表示部９０を目視しながら入力部７０を操作することにより、端末装置５０の機種毎に、端末装置５０が所属するグループを選定すると、制御部６０は、端末装置５０の機種と、当該端末装置５０の機種が所属するグループとを対応付けて記憶部８０に記憶し登録する。
【００１５】
このグループとしては、例えば、ワンセグ（登録商標）携帯、アクオス（登録商標）携帯、ディズニー（登録商標）モバイル、ドコモ（登録商標）などがあり、単一の端末装置５０が複数のグループに所属する場合が存在する。
【００１６】
ところで、端末装置５０の記憶部（図示せず）には、端末装置５０毎に割り当てられた、端末装置５０固有の識別情報が記憶されると共に、端末装置５０の機種に関する機種情報が記憶されている。以下、これら識別情報及び機種情報を端末情報と呼ぶ。
【００１７】
この状態において、端末装置５０を保有するユーザが、サイト管理用サーバ装置３０Ａ〜３０Ｎのうち、所望のサイト管理用サーバ装置３０が管理するウェブサイトを閲覧しようとして、端末装置５０を操作すると、端末装置５０は、当該ウェブサイトに対応するコンテンツを要求するための要求情報を生成する。そして端末装置５０は、この要求情報と予め記憶されている端末情報とを、通信回線４０を介して当該所望のサイト管理用サーバ装置３０に送信する。
【００１８】
サイト管理用サーバ装置３０は、端末装置５０から要求情報及び端末情報が与えられると、このうち端末情報を広告配信管理用サーバ装置２０に送信する。広告配信管理用サーバ装置２０は、この端末情報を送受信処理部１００によって受信すると、これを制御部６０に与える。
【００１９】
制御部６０は、与えられた端末情報に基づいて、記憶部８０に記憶されているグループの中から、端末装置５０の機種が所属するグループの検索を試みる。その結果、制御部６０は、記憶部８０に記憶されているグループの中から、端末装置５０の機種が所属するグループを検索することができた場合には、当該グループすなわち端末装置５０の機種に対応する広告画像（すなわち提供情報）を表示することを指示する指示情報を生成し、これを送受信処理部１００を介してサイト管理用サーバ装置３０に送信する。
【００２０】
これに対して、制御部６０は、記憶部８０に記憶されているグループの中から、端末装置５０の機種が所属するグループを検索することができなかった場合には、予め選定された広告画像を表示することを指示する指示情報を生成し、これを送受信処理部１００を介してサイト管理用サーバ装置３０に送信する。
【００２１】
サイト管理用サーバ装置３０は、広告配信管理用サーバ装置２０から送信された指示情報に基づいて、閲覧対象のウェブサイトの所定の領域に、端末装置５０の機種に対応する広告画像、又は予め選定された広告画像を貼り付けるようにして当該ウェブサイトを生成し、当該生成されたウェブサイトに対応するコンテンツを通信回線４０を介して端末装置５０に送信する。
【００２２】
なお、本実施の形態の場合、端末装置５０の表示画面に広告画像を表示したが、例えば文字情報など、他の種々の提供情報を端末装置５０の表示画面に表示するようにしても良い。
【００２３】
端末装置５０は、サイト管理用サーバ装置３０から送信されたコンテンツを受信すると、当該コンテンツに対応するウェブサイトを端末装置５０の表示画面に表示する際、ウェブサイトの所定の領域に、端末装置５０の機種に対応する広告画像、又は予め選定された広告画像を表示する。
【００２４】
ここで図３に、本実施の形態による広告画像表示処理手順ＲＴ１０を示す。この図３において、ユーザが、サイト管理用サーバ装置３０Ａ〜３０Ｎのうち、所望のサイト管理用サーバ装置３０が管理するウェブサイトを閲覧しようとして、端末装置５０を操作することにより、広告画像表示処理手順ＲＴ１０に入ると、ステップＳＰ１０に移って、端末装置５０は、当該ウェブサイトに対応するコンテンツを要求するための要求情報を生成し、当該要求情報及び端末情報を、通信回線４０を介して当該所望のサイト管理用サーバ装置３０に送信する。
【００２５】
ステップＳＰ２０において、サイト管理用サーバ装置３０は、端末装置５０から要求情報及び端末情報が与えられると、このうち端末情報を広告配信管理用サーバ装置２０に送信する。
【００２６】
ステップＳＰ３０において、広告配信管理用サーバ装置２０の制御部６０は、サイト管理用サーバ装置３０から送信された端末情報が、送受信処理部１００によって受信されると、当該端末情報に含まれる、端末装置５０の機種情報の確認を試みる。
【００２７】
ステップＳＰ４０において、制御部６０は、端末装置５０が携帯電話機であると判断した場合には、ステップＳＰ５０に移って、端末情報に含まれる、端末装置５０固有の識別情報の確認を試みる。
【００２８】
ステップＳＰ６０において、制御部６０は、端末装置５０固有の識別情報を確認することができたと判断した場合には、端末装置５０のプラーバシー機能が無効に設定され、識別情報の送信が許可されているとして、ステップＳＰ７０に移って、端末装置５０の機種情報に基づいて、記憶部８０に記憶されているグループの中から、端末装置５０の機種が所属するグループの検索を試みる。
【００２９】
ステップＳＰ８０において、制御部６０は、記憶部８０に記憶されているグループの中から、端末装置５０の機種が所属するグループを検索することができたと判断した場合には、ステップＳＰ９０に移って、端末装置５０の機種が所属するグループが単一のグループか否かを判断する。
【００３０】
ステップＳＰ９０において否定結果が得られると、このことは端末装置５０の機種が所属するグループが単一のグループのみであることを表しており、このとき制御部６０はステップＳＰ１００に移って、端末装置５０固有の識別情報と、端末装置５０の機種が所属するグループ、すなわち端末装置５０の機種に対応する表示対象の広告画像が示すウェブサイトのアドレス情報（ＵＲＬ）とを対応付けて記憶部８０に記憶する。
【００３１】
ステップＳＰ１１０において、制御部６０は、端末装置５０の機種に対応する広告画像を表示することを指示する指示情報を生成し、これを送受信処理部１００を介してサイト管理用サーバ装置３０に送信する。
【００３２】
サイト管理用サーバ装置３０は、広告配信管理用サーバ装置２０から送信された指示情報に基づいて、閲覧対象のウェブサイトの所定の領域に、端末装置５０の機種に対応する広告画像を貼り付けるようにして当該ウェブサイトを生成し、当該生成されたウェブサイトに対応するコンテンツを通信回線４０を介して端末装置５０に送信する。
【００３３】
端末装置５０は、サイト管理用サーバ装置３０から送信されたコンテンツを受信すると、当該コンテンツに対応するウェブサイトを端末装置５０の表示画面に表示する際、ウェブサイトの所定の領域に、端末装置５０の機種に対応する広告画像を表示する。そしてステップＳＰ１２０に移って、広告画像表示処理手順ＲＴ１０を終了する。
【００３４】
なお、ステップＳＰ９０において肯定結果が得られると、このことは端末装置５０の機種が複数のグループに所属することを表しており、このとき制御部６０はステップＳＰ１３０に移って、端末装置５０の機種が所属する複数のグループの中から、所望のグループを選択した上で、ステップＳＰ１００に移る。
【００３５】
複数のグループの中からいずれかのグループを選択する方法としては、例えば、各グループ毎に、当該グループに対応する広告画像が表示される度合いの高さを表す優先度を予め選定しておき、端末装置５０の機種が所属する複数のグループの優先度の合計に対する、所望のグループの優先度の割合が、当該グループが選択される確率になるようにして選択を実行する。これにより、よりユーザの嗜好に応じた広告画像を表示することができる。
【００３６】
なお、この場合、記憶部８０には、端末装置５０の機種と、端末装置５０の機種が所属するグループと、当該グループに対応する画像が表示される度合いの高さを表す優先度とが対応付けて予め記憶されている。
【００３７】
例えば、ディズニー（登録商標）モバイル、ワンセグ（登録商標）携帯、ドコモ（登録商標）携帯の優先度が、それぞれ「５：３：１」になるように選定されると、ディズニー（登録商標）モバイルが選択される確率は「５／９」になる。
【００３８】
ところで、ステップＳＰ４０において、制御部６０は、端末装置５０が携帯電話機ではなくパーソナルコンピュータであると判断した場合には、ステップＳＰ１４０に移って、予め選定された広告画像を表示することを指示する指示情報を生成し、これを送受信処理部１００を介してサイト管理用サーバ装置３０に送信する。
【００３９】
同様にして、ステップＳＰ６０において、制御部６０は、端末装置５０固有の識別情報を確認することができなかったと判断した場合には、端末装置５０のプラーバシー機能が有効に設定され、識別情報の送信が許可されていないとして、ステップＳＰ１４０に移って、予め選定された広告画像を表示することを指示する指示情報を生成し、これを送受信処理部１００を介してサイト管理用サーバ装置３０に送信する。
【００４０】
同様にして、ステップＳＰ８０において、制御部６０は、記憶部８０に記憶されているグループの中から、端末装置５０の機種が所属するグループを検索することができなかったと判断した場合には、端末装置５０が例えば古い機種であり、当該機種に応じた広告画像を表示する必要がないとして、ステップＳＰ１４０に移って、予め選定された広告画像を表示することを指示する指示情報を生成し、これを送受信処理部１００を介してサイト管理用サーバ装置３０に送信する。
【００４１】
その後、サイト管理用サーバ装置３０は、広告配信管理用サーバ装置２０から送信された指示情報に基づいて、閲覧対象のウェブサイトの所定の領域に、予め選定された広告画像を貼り付けるようにして当該ウェブサイトを生成し、当該生成されたウェブサイトに対応するコンテンツを通信回線４０を介して端末装置５０に送信する。
【００４２】
端末装置５０は、サイト管理用サーバ装置３０から送信されたコンテンツを受信すると、当該コンテンツに対応するウェブサイトを端末装置５０の表示画面に表示する際、ウェブサイトの所定の領域に、予め選定された広告画像を表示する。そしてステップＳＰ１２０に移って、広告画像表示処理手順ＲＴ１０を終了する。
【００４３】
ここで図４に、本実施の形態による広告画像選択処理手順ＲＴ２０を示す。この図４において、広告画像選択処理手順ＲＴ２０に入ると、ステップＳＰ２００に移って、端末装置５０は、表示画面にウェブサイトを表示する際、ウェブサイトの所定の領域に広告画像を表示し待機する。
【００４４】
この状態において、ユーザが端末装置５０を操作することにより、端末装置５０の表示画面に表示された広告画像をクリックして選択すると、ステップＳＰ２１０に移って、端末装置５０は、広告画像に対応するコンテンツを要求するための要求情報（すなわち表示要求）を生成し、当該要求情報及び端末情報を、通信回線４０を介して当該所望のサイト管理用サーバ装置３０に送信する。
【００４５】
そして、サイト管理用サーバ装置３０は、端末装置５０から要求情報及び端末情報が与えられると、このうち端末情報を広告配信管理用サーバ装置２０に送信する。
【００４６】
ステップＳＰ２２０において、広告配信管理用サーバ装置２０の制御部６０は、サイト管理用サーバ装置３０から送信された端末情報が、送受信処理部１００によって受信されると、当該端末情報に含まれる、端末装置５０の機種情報の確認を試みる。
【００４７】
ステップＳＰ２３０において、制御部６０は、端末装置５０が携帯電話機であると判断した場合には、ステップＳＰ２４０に移って、端末情報に含まれる、端末装置５０固有の識別情報の確認を試みる。
【００４８】
ステップＳＰ２５０において、制御部６０は、端末装置５０固有の識別情報を確認することができたと判断した場合には、端末装置５０のプラーバシー機能が無効に設定され、識別情報の送信が許可されているとして、ステップＳＰ２６０に移って、記憶部８０に記憶されているアドレス情報（ＵＲＬ）の中から、端末装置５０固有の識別情報と対応付けて記憶されているアドレス情報（ＵＲＬ）を読み出す。
【００４９】
ステップＳＰ２７０において、制御部６０は、このアドレス情報（ＵＲＬ）が示すウェブサイトを表示することを指示する指示情報を生成し、これを識別情報と共に送受信処理部１００を介して当該ウェブサイトを管理するサイト管理用サーバ装置３０に送信する。
【００５０】
かかる指示情報が送信されたサイト管理用サーバ装置３０は、表示対象のウェブサイトに対応するコンテンツを、通信回線４０を介して、当該識別情報が割り当てられている端末装置５０に送信する。
【００５１】
端末装置５０は、サイト管理用サーバ装置３０から送信されたコンテンツを受信すると、当該コンテンツに対応するウェブサイトを端末装置５０の表示画面に表示する。そしてステップＳＰ２８０に移って、広告画像選択処理手順ＲＴ２０を終了する。
【００５２】
ところで、ステップＳＰ２３０において、制御部６０は、端末装置５０が携帯電話機ではなくパーソナルコンピュータであると判断した場合には、ステップＳＰ２９０に移って、記憶部８０に記憶されているアドレス情報（ＵＲＬ）の中から、予め選定された広告画像が示すウェブサイトのアドレス情報（ＵＲＬ）を読み出した後、ステップＳＰ２７０に移って上述の動作を繰り返す。
【００５３】
同様にして、ステップＳＰ２５０において、制御部６０は、端末装置５０固有の識別情報を確認することができなかったと判断した場合には、端末装置５０のプラーバシー機能が有効に設定され、識別情報の送信が許可されていないとして、ステップＳＰ２９０に移って、記憶部８０に記憶されているアドレス情報（ＵＲＬ）の中から、予め選定された広告画像が示すウェブサイトのアドレス情報（ＵＲＬ）を読み出した後、ステップＳＰ２７０に移って上述の動作を繰り返す。
【００５４】
なお、ステップＳＰ２００において、ユーザが、端末装置５０の表示画面に表示された広告画像をクリックすることなく、表示されているウェブサイトを終了させた場合には、ステップＳＰ２８０に移って、広告画像選択処理手順ＲＴ２０を終了する。
【００５５】
このように本実施の形態によれば、端末装置５０の機種に応じて、表示対象の広告画像を切り換えることができ、従ってユーザの嗜好に応じた広告情報を提供することができる。
【００５６】
なお、上述の実施の形態は一例であって、本発明を限定するものではない。例えば、端末装置５０としてパーソナルコンピュータを適用しても良く、この場合、オペレーティングシステム（ＯＳ）やブラウザの種類に応じて、表示対象の広告画像を切り換えるようにすれば良い。
【００５７】
この場合、まず、広告の配信を管理するオペレータが、広告配信管理用サーバ装置２０の表示部９０を目視しながら入力部７０を操作することにより、オペレーティングシステム及びブラウザの組み合わせを選定すると共に、当該組み合わせに対応する広告画像データ（すなわち提供情報）を選定した後、オペレーティングシステム及びブラウザの組み合わせと、広告画像データとを対応付けて記憶部８０に記憶し登録する。以下、オペレーティングシステム及びブラウザの組み合わせを使用環境と呼ぶ。
【００５８】
オペレーティングシステムとしては、例えばマイクロソフトウィンドウズ（登録商標）、マックＯＳ（登録商標）などがあり、ブラウザとしては、例えばインターネットエクスプローラー（登録商標）、ファイアフォックス（登録商標）などがある。
【００５９】
ここで図５に、他の実施の形態による広告画像表示処理手順ＲＴ３０を示す。この図５において、端末装置５０を保有するユーザが、サイト管理用サーバ装置３０Ａ〜３０Ｎのうち、所望のサイト管理用サーバ装置３０が管理するウェブサイトを閲覧しようとして、端末装置５０を操作することにより、広告画像表示処理手順ＲＴ３０に入ると、ステップＳＰ３００に移って、端末装置５０は、当該ウェブサイトに対応するコンテンツを要求するための要求情報を生成し、当該要求情報と端末装置５０の使用環境情報を、通信回線４０を介して当該所望のサイト管理用サーバ装置３０に送信する。
【００６０】
ステップＳＰ３１０において、サイト管理用サーバ装置３０は、端末装置５０から要求情報及び使用環境情報が与えられると、このうち使用環境情報を広告配信管理用サーバ装置２０に送信する。
【００６１】
ステップＳＰ３２０において、広告配信管理用サーバ装置２０の制御部６０は、サイト管理用サーバ装置３０から送信された使用環境情報が、送受信処理部１００によって受信されると、当該使用環境情報に基づいて、記憶部８０に記憶されているオペレーティングシステム及びブラウザの組み合わせの中から、端末装置５０のオペレーティングシステム及びブラウザの組み合わせの検索を試みる。
【００６２】
ステップＳＰ３３０において、制御部６０は、記憶部８０に記憶されているオペレーティングシステム及びブラウザの組み合わせの中から、端末装置５０のオペレーティングシステム及びブラウザの組み合わせを検索することができたと判断した場合には、ステップＳＰ３４０に移って、記憶部８０に記憶されている広告画像データの中から、当該オペレーティングシステム及びブラウザの組み合わせと対応付けて記憶されている広告画像データを読み出し、これを表示対象の広告画像として決定する。
【００６３】
なお、表示対象の広告画像を決定する方法としては、端末装置５０におけるオペレーティングシステム及びブラウザの組み合わせが、複数の組み合わせに所属する場合を考慮し、例えば、各組み合わせ毎に、当該組み合わせに対応する広告画像が表示される度合いの高さを表す優先度を予め選定しておき、端末装置５０の使用環境が所属する複数の組み合わせの優先度の合計に対する、所望の組み合わせの優先度の割合が、当該組み合わせが選択される確率になるようにして選択を実行する。
【００６４】
ステップＳＰ３５０において、制御部６０は、端末装置５０の使用環境に対応する広告画像を表示することを指示する指示情報を生成し、これを送受信処理部１００を介してサイト管理用サーバ装置３０に送信する。
【００６５】
サイト管理用サーバ装置３０は、広告配信管理用サーバ装置２０から送信された指示情報に基づいて、閲覧対象のウェブサイトの所定の領域に、端末装置５０の使用環境に対応する広告画像を貼り付けるようにして当該ウェブサイトを生成し、当該生成されたウェブサイトに対応するコンテンツを通信回線４０を介して端末装置５０に送信する。
【００６６】
端末装置５０は、サイト管理用サーバ装置３０から送信されたコンテンツを受信すると、当該コンテンツに対応するウェブサイトを端末装置５０の表示画面に表示する際、ウェブサイトの所定の領域に、端末装置５０の使用環境に対応する広告画像を表示する。そしてステップＳＰ３６０に移って、広告画像表示処理手順ＲＴ３０を終了する。
【００６７】
ステップＳＰ３３０において、制御部６０は、記憶部８０に記憶されているオペレーティングシステム及びブラウザの組み合わせの中から、端末装置５０のオペレーティングシステム及びブラウザの組み合わせを検索することができなかったと判断した場合には、ステップＳＰ３７０に移って、予め選定された広告画像を表示することを指示する指示情報を生成し、これを送受信処理部１００を介してサイト管理用サーバ装置３０に送信する。
【００６８】
その後、サイト管理用サーバ装置３０は、広告配信管理用サーバ装置２０から送信された指示情報に基づいて、閲覧対象のウェブサイトの所定の領域に、予め選定された広告画像を貼り付けるようにして当該ウェブサイトを生成し、当該生成されたウェブサイトに対応するコンテンツを通信回線４０を介して端末装置５０に送信する。
【００６９】
端末装置５０は、サイト管理用サーバ装置３０から送信されたコンテンツを受信すると、当該コンテンツに対応するウェブサイトを端末装置５０の表示画面に表示する際、ウェブサイトの所定の領域に、予め選定された広告画像を表示する。そしてステップＳＰ３６０に移って、広告画像表示処理手順ＲＴ３６０を終了する。
【符号の説明】
【００７０】
１０  情報提供システム
２０  広告配信管理用サーバ装置
３０  サイト管理用サーバ装置
５０  端末装置
６０  制御部
７０  入力部
８０  記憶部
【図１】
2010170456.tif 000003
【図２】
2010170456.tif 000004
【図３】
2010170456.tif 000005
【図４】
2010170456.tif 000006
【図５】
2010170456.tif 000007